(57)【特許請求の範囲】
【請求項１】
ヨークの外に出ている回転軸の部分に偏心部が設けられ、前記偏心部にニードルベアリングが嵌合され、前記ニードルベアリングの両側の前記回転軸の部分に該ニードルベアリングのリテーナが嵌着されている直流電動機において、
前記ニードルベアリングより先の前記回転軸の部分は前記ヨーク内の前記回転軸の部分と同心状態にある同心部となっており、
前記ニードルベアリングの両側の前記リテーナはいずれも前記回転軸の同心部に嵌着されていることを特徴とする直流電動機。
【請求項２】
前記ニードルベアリングより先の前記回転軸の同心部は該回転軸の偏心部より小径となっていることを特徴とする請求項１に記載の直流電動機。
【発明の詳細な説明】
【０００１】
【発明の属する技術分野】
本発明は、ヨークの外に出ている回転軸の偏心部にニードルベアリングが嵌合されている直流電動機に関するものである。
【０００２】
【従来の技術】
図２は、従来のこの種の直流電動機の構造を示したものである。該直流電動機においては、有底筒状のヨーク１の内周に永久磁石からなるステータ２が環状に組み付けられ、該ステータ２内にはロータ３が回転自在に組み込まれている。ロータ３は、回転軸４の外周に固定されたロータ鉄心５と、該ロータ鉄心５に巻装されたロータコイル６とを備えて構成されている。ヨーク１にはその開口部を閉塞するようにカバー７が取り付けられている。ヨーク１に対するカバー７の取り付けは、加締めにより行われている。ロータ３の回転軸４は、ヨーク１の底部１ａに設けられている嵌合部１ｂに嵌合支持された軸受８と、カバー７に設けられている嵌合部７ａに圧入固定された軸受９とに圧入固定されて回転自在に支持されている。カバー７にはブラシホルダー１０を介してブラシ１１が支持され、回転軸４にはブラシ１１が接触する整流子１２が設けられている。
【０００３】
ヨーク１の底部１ａから回転軸４が導出されている。このヨーク１の外に出ている回転軸４の先端側には偏心部４ａが設けられ、該偏心部４ａにはニードルベアリング１３が嵌合されている。ニードルベアリング１３の両側の回転軸４の部分には、該ニードルベアリング１３のリテーナ１４ａ，１４ｂが嵌着されてニードルベアリング１３の軸方向の位置が規制されている。
【０００４】
このような直流電動機は、例えばニードルベアリング１３のアウターリング１３ａに直交する向きで操作子を取り付け、該操作子がその長手方向にのみ運動するようにガイドで規制すると、回転軸４の回転によりニードルベアリング１３のアウターリング１３ａが回転しない状態で偏心運動をし、この偏心運動で操作子が往復運動をするようになる。この往復運動を利用して、例えばアンチロックブレーキシステム（ＡＢＳ）のポンプを駆動することができる。
【０００５】
【発明が解決しようとする課題】
しかしながら、図２に示すように回転軸４に偏心部４ａを設けると、ロータ３としてはアンバランス量が発生する。また、回転軸４の偏心部４ａにニードルベアリング１３やリテーナ１４ｂを嵌着すると、さらにそのアンバランス量が増加する。
【０００６】
このようにして発生したアンバランス量は、ロータ鉄心５の両側にパテ（重り）を塗布したり、ロータ鉄心５自体に修正アンバランス量をもたせたり、ロータ鉄心５の両側に修正アンバランス量をもつ部品を取り付けたり、リテーナ１４ａ，１４ｂに修正アンバランス量をもたせたりして修正していた。
【０００７】
しかしながら、図２に示す構造の直流電動機では、発生したアンバランス量が多いため、塗布するパテの量が多量になったり、動バランス修正作業に長時間を要したり（ときには、直流電動機の製造工程の全体からみて、ネック工程になる。）、修正アンバランス量をもつ部品の取り付けでコストアップしたりする問題点があった。
【０００８】
また、パテを塗布する場合には、塗布するパテの量が多いので、そのスペースを十分に確保する必要がある。また、修正アンバランス量をもつ部品を取り付ける場合にも、その取り付けスペースを確保する必要がある。このため、直流電動機の小形化や軽量化の障害になる問題点があった。
【０００９】
本発明の目的は、回転軸の偏心部に発生する初期アンバランス量を可及的に少なくできる直流電動機を提供することにある。
【００１０】
本発明の他の目的は、初期アンバランス量の少ない回転軸の偏心部の組み立てを容易に行える直流電動機を提供することにある。
【００１１】
【課題を解決するための手段】
本発明は、ヨークの外に出ている回転軸の部分に偏心部が設けられ、該偏心部にニードルベアリングが嵌合され、該ニードルベアリングの両側の回転軸の部分に該ニードルベアリングのリテーナが嵌着されている構造の直流電動機を改良するものである。
【００１２】
請求項１に記載の直流電動機においては、
ニードルベアリングより先の回転軸の部分はヨーク内の回転軸の部分と同心状態にある同心部となっており、
ニードルベアリングの両側のリテーナはいずれも回転軸の同心部に嵌着されていることを特徴とする。
【００１３】
このようにニードルベアリングより先の回転軸の部分をヨーク内の回転軸の部分と同心状態にある同心部とすると、従来に比べて回転軸の偏心部に発生する初期アンバランス量をその分だけ少なくできる。
【００１４】
また、ニードルベアリングの両側のリテーナをいずれも回転軸の同心部に嵌着すると、この点でも回転軸の偏心部に発生する初期アンバランス量を少なくできる。
【００１５】
従って、修正すべきアンバランス量が少なくなり、アンバランス量の修正が容易になると共に直流電動機の小形化や軽量化を図ることができる。
【００１６】
請求項２に記載の直流電動機においては、ニードルベアリングより先の回転軸の同心部が該回転軸の偏心部より小径となっていることを特徴とする。
【００１７】
このようにニードルベアリングより先の回転軸の同心部を、該回転軸の偏心部より小径とすると、該小径の同心部を経てニードルベアリングの装着を容易に行うことができる。
【００１８】
【発明の実施の形態】
図１は、発明に係る直流電動機における実施の形態の一例を示したものである。
【００１９】
本例の直流電動機においては、ニードルベアリング１３より先の回転軸４の部分は、ヨーク１内の回転軸４の部分と同心状態にある同心部４ｂとなっている。換言すれば、ニードルベアリング１３を取り付ける回転軸４の偏心部４ａより先の該回転軸４の部分は、ヨーク１内の回転軸４の部分と同心状態にある同心部４ｂとなっている。また、ニードルベアリング１３の両側のリテーナ１４ａ，１４ｂは、いずれも回転軸４の同心部に嵌着されている。即ち、リテーナ１４ａはヨーク１側の偏心していない回転軸４の部分に嵌着されており、リテーナ１４ｂは同心部４ｂに嵌着されている。
【００２０】
その他の構成は、前述した図２と同様になっている。
【００２１】
本例のようにニードルベアリング１３より先の回転軸４の部分をヨーク１内の回転軸４の部分と同心状態にある同心部４ｂとすると、従来に比べて回転軸４の偏心部４ａに発生する初期アンバランス量をその分だけ少なくできる。
【００２２】
また、ニードルベアリング１３の両側のリテーナ１４ａ，１４ｂをいずれも回転軸４の同心部に嵌着すると、この点でも回転軸４の偏心部４ａに発生する初期アンバランス量を少なくできる。
【００２３】
従って、修正すべきアンバランス量が少なくなり、アンバランス量の修正が容易になると共に直流電動機の小形化や軽量化を図ることができる。
【００２４】
さらに、ニードルベアリング１３より先の回転軸４の同心部４ｂを、該回転軸４の偏心部４ａより小径とすると、該小径の同心部４ｂを経てニードルベアリング１４やリテーナ１４ｂの装着を容易に行うことができる。
【００２５】
【発明の効果】
請求項１に記載の直流電動機においては、ニードルベアリングより先の回転軸の部分をヨーク内の回転軸の部分と同心状態にある同心部としているので、従来に比べて回転軸の偏心部に発生する初期アンバランス量をその分だけ少なくできる。
【００２６】
また、ニードルベアリングの両側のリテーナをいずれも回転軸の同心部に嵌着しているので、この点でも回転軸の偏心部に発生する初期アンバランス量を少なくできる。
【００２７】
従って、本発明によれば、修正すべきアンバランス量が少なくなり、アンバランス量の修正が容易になると共に直流電動機の小形化や軽量化を図ることができる。
【００２８】
請求項２に記載の直流電動機においては、ニードルベアリングより先の回転軸の同心部を、該回転軸の偏心部より小径としているので、該小径の同心部を経てニードルベアリングの装着を容易に行うことができる。
【図面の簡単な説明】
【図１】発明に係る直流電動機における実施の形態の一例の要部構成を示す縦断面図である。
【図２】従来の直流電動機の縦断面図である。
【符号の説明】
１  ヨーク
１ａ  底部
１ｂ  嵌合部
２  ステータ
３  ロータ
４  回転軸
４ａ  偏心部
４ｂ  同心部
５  ロータ鉄心
６  ロータコイル
７  カバー
７ａ  嵌合部
８，９  軸受
１０  ブラシホルダー
１１  ブラシ
１２  整流子
１３  ニードルベアリング
１４ａ，１４ｂ  リテーナ
【図１】
0003722904.tif 000002
【図２】
0003722904.tif 000003